(57)【特許請求の範囲】
【請求項１】
磁気記録媒体が挿入される挿入口と、
前記挿入口へ挿入された前記磁気記録媒体からデータを読み取る磁気ヘッドと、
前記挿入口付近に取り付けられる不正読取装置によって前記磁気記録媒体のデータが読み取られるのを妨害するための妨害磁界を発生する磁界発生部と、
を備えた磁気記録媒体読取装置において、
前記磁界発生部は、第１の磁界発生部と、第２の磁界発生部とからなり、
前記第１の磁界発生部は、磁性材料からなる第１のコアと、前記第１のコアに巻回された第１のコイルとを含み、
前記第２の磁界発生部は、磁性材料からなる第２のコアと、前記第２のコアに巻回された第２のコイルとを含み、
前記第１のコアの中心軸方向の端部と、前記第２のコアの中心軸方向の端部とは、第１の磁界発生部から発生する妨害磁界が第２の磁界発生部の第２のコアを通り、第２の磁界発生部から発生する妨害磁界が第１の磁界発生部の第１のコアを通るように、対向して配置されており、
前記第１の磁界発生部と前記第２の磁界発生部との間の領域で、それぞれの磁界発生部から発生する妨害磁界の方向が同じであることを特徴とする、磁気記録媒体読取装置。
【請求項２】
請求項１に記載の磁気記録媒体読取装置において、
前記挿入口へ挿入される前記磁気記録媒体の幅方向を左右方向としたとき、
前記第１の磁界発生部は、前記挿入口の左右の一方側に設けられ、
前記第２の磁界発生部は、前記挿入口の左右の他方側に設けられ、
前記第１の磁界発生部と前記第２の磁界発生部との間の領域における妨害磁界の方向が、前記磁気記録媒体の幅方向と実質的に平行であることを特徴とする、磁気記録媒体読取装置。
【請求項３】
請求項１に記載の磁気記録媒体読取装置において、
前記挿入口へ挿入される前記磁気記録媒体の厚み方向を上下方向としたとき、
前記第１の磁界発生部は、前記挿入口の上下の一方側に設けられ、
前記第２の磁界発生部は、前記挿入口の上下の他方側に設けられ、
前記第１の磁界発生部と前記第２の磁界発生部との間の領域における妨害磁界の方向が、前記磁気記録媒体の厚み方向と実質的に平行であることを特徴とする、磁気記録媒体読取装置。
【請求項４】
請求項１に記載の磁気記録媒体読取装置において、
前記挿入口へ挿入される前記磁気記録媒体の幅方向を左右方向とし、厚み方向を上下方向としたとき、
前記第１の磁界発生部は、前記挿入口の左右の一方側で、かつ前記挿入口の上下の一方側に設けられ、
前記第２の磁界発生部は、前記挿入口の左右の他方側で、かつ前記挿入口の上下の他方側に設けられ、
前記第１の磁界発生部と前記第２の磁界発生部との間の領域における妨害磁界の方向が、前記磁気記録媒体の幅方向および厚み方向に対して斜めであることを特徴とする、磁気記録媒体読取装置。
【請求項５】
請求項１ないし請求項４のいずれかに記載の磁気記録媒体読取装置において、
前記第１および第２の磁界発生部は、前記磁気記録媒体に設けられた磁気ストライプが通過する位置を挟んで、対向して配置されていることを特徴とする、磁気記録媒体読取装置。
【請求項６】
請求項１ないし請求項５のいずれかに記載の磁気記録媒体読取装置において、
前記妨害磁界は、前記第１の磁界発生部と前記第２の磁界発生部との間の領域で、最も強い磁力を示すことを特徴とする、磁気記録媒体読取装置。
【請求項８】
請求項１ないし請求項６のいずれかに記載の磁気記録媒体読取装置において、
前記第１の磁界発生部のコアの中心軸が、前記第２の磁界発生部のコアの中心軸と一致していることを特徴とする、磁気記録媒体読取装置。
【請求項９】
請求項１ないし請求項８のいずれかに記載の磁気記録媒体読取装置において、
前記妨害磁界のうち、前記第１の磁界発生部と前記第２の磁界発生部との間の領域の外側に向かう磁界を導くための案内磁路を、前記第１および第２の磁界発生部にまたがって設けたことを特徴とする、磁気記録媒体読取装置。
【発明の詳細な説明】
【技術分野】
【０００１】
本発明は、磁気記録媒体に記録されたデータを読み取る装置に関し、特に、データの不正取得を防止する機能を備えた磁気記録媒体読取装置に関する。
【背景技術】
【０００２】
ＡＴＭ（Automated  Teller  Machine：現金自動預け払機）やＣＤ（Cash  Dispenser：現金自動支払機）などの取引処理装置には、磁気カードを読み取るカードリーダが搭載されている。このような取引処理装置において、最近では、磁気カードがカードリーダに挿入される際に、カードの磁気ストライプに記録されたデータを不正に取得するスキミングと呼ばれる犯罪が発生している。【０００３】
典型的なスキミングの例として、磁気ヘッドを備えた不正読取装置を、ＡＴＭやＣＤに備わるカードリーダのカード挿入口の付近に設置し、この不正読取装置の磁気ヘッドにより、カードリーダに挿入される磁気カードのデータを不正に取得する方法がある。【０００４】
上記のようなスキミングに対しては、これまでにも種々の対策が提案されている。例えば、後掲の特許文献１には、カード挿入口の近傍に妨害磁界発生器を設けたカードリーダが記載されている。このカードリーダにおいては、妨害磁界発生器により、カード挿入口の外側領域に妨害磁界が発生する。このため、カード挿入口の外側に不正読取装置が取り付けられたとしても、当該装置で読み取ったデータは、妨害磁界の影響を受けて、カードに記録された元のデータとは異なるデータとなる。これにより、カードのデータが不正に取得されるのを防止することができる。【０００５】
後掲の特許文献２には、カード挿入口の周囲に、妨害磁界を発生させるためのループアンテナを配設したカードリーダが記載されている。ループアンテナのアンテナ面は、カード挿入口の前面と平行になっている。このカードリーダにおいても、カード挿入口の外側領域に妨害磁界が発生するので、カード挿入口の外側に不正読取装置が取り付けられたとしても、カードのデータが不正に取得されるのを防止することができる。【０００６】
後掲の特許文献３には、妨害磁界発生器から出る磁力線の方向が、カードの挿入方向に対して傾斜するように、妨害磁界発生器を配置したカードリーダが記載されている。このカードリーダでは、妨害磁界の方向がカードの挿入方向と平行ではないので、妨害磁界発生器の後方にあるデータ読取用の磁気ヘッドに与える妨害磁界の影響を低減することができる。【０００７】
図１５は、妨害磁界発生器を備えた手動式カードリーダの一例を示している。カードリーダ３００の基体３０の内部には、磁気ヘッド３３と、妨害磁界発生器３４が設けられている。基体３０の前部には、パネル部３１が設けられている。パネル部３１には、磁気カード５０が挿入される挿入口３２が形成されている。磁気ヘッド３３は、挿入口３２から挿入された磁気カード５０に記録されているデータを読み取る。妨害磁界発生器３４は、挿入口３２付近に配置されており、妨害磁界Ｙを発生する。この妨害磁界Ｙは、パネル部３１の前面における挿入口３２付近に取り付けられた不正読取装置ＳＫに作用し、不正読取装置ＳＫで磁気カード５０のデータが不正に読み取られるのを阻止する。【０００８】
図１６は、妨害磁界発生器を備えたモータ式カードリーダの一例を示している。カードリーダ４００の基体４０の内部には、磁気ヘッド４２と、搬送ローラ４３と、カード検出センサ４４とが設けられている。搬送ローラ４３は、図示しないモータにより回転し、磁気カード５０を搬送する。磁気ヘッド４２は、搬送される磁気カード５０に記録されているデータを読み取る。カード検出センサ４４は、搬送される磁気カード５０の位置を検出する。基体４０の前部には、挿入ユニット４１が設けられている。挿入ユニット４１には、磁気カード５０が挿入される挿入口４７が形成されている。挿入ユニット４１の内部には、磁気ヘッド４５と、妨害磁界発生器４６とが設けられている。磁気ヘッド４５は、挿入口４７へ挿入された磁気カード５０の磁気ストライプを検出する。妨害磁界発生器４６は、挿入口４７付近に位置しており、妨害磁界Ｙを発生する。この妨害磁界Ｙは、挿入ユニット４１の前面における挿入口４７付近に取り付けられた不正読取装置ＳＫに作用し、不正読取装置ＳＫで磁気カード５０のデータが不正に読み取られるのを阻止する。
【先行技術文献】
【特許文献】
【０００９】
【特許文献１】特開２００１−６７５２４号公報
【特許文献２】特許第４４２５６７４号公報
【特許文献３】特開２０１３−１２０２２号公報
【発明の概要】
【発明が解決しようとする課題】
【００１０】
図１５に示したカードリーダ３００においては、不正読取装置ＳＫによるスキミングを確実に防止するために妨害磁界Ｙの強度を強くすると、妨害磁界発生器３４の後方側に生じる磁界の強度も強くなるので、磁気ヘッド３３へ妨害磁界Ｙが及んでデータの読取性能が低下したり、後方の周辺機器に悪影響を及ぼしたりするという問題がある。【００１１】
また、図１６に示したカードリーダ４００においては、不正読取装置ＳＫによるスキミングを確実に防止するために妨害磁界Ｙの強度を強くすると、妨害磁界発生器４６の後方側に生じる磁界の強度も強くなるので、磁気ヘッド４５へ妨害磁界Ｙが及んで磁気ストライプの検知性能が低下したり、磁気ヘッド４２へ妨害磁界Ｙが及んでデータの読取性能が低下したり、後方の周辺機器に悪影響を及ぼしたりするという問題がある。【００１２】
上記のような問題は、妨害磁界発生器を特許文献３のように配置することで解決することができるが、特許文献３では、単一の妨害磁界発生器が設けられているだけである。この場合、妨害磁界発生器から出た妨害磁界は発散するので、不正読取装置が取り付けられる箇所に妨害磁界を集中させることが難しく、スキミングを防止する上で必ずしも万全とは言えない。また、妨害磁界発生器の近傍に磁気ヘッドが位置する場合は、発散した妨害磁界が当該磁気ヘッドに及ぶおそれがある。【００１３】
そこで、本発明の目的は、不正読取装置に強力な妨害磁界を作用させてスキミングを確実に防止することができ、かつ、そのような妨害磁界が磁気ヘッドや周辺機器に悪影響を与えることのない磁気記録媒体読取装置を提供することにある。
【課題を解決するための手段】
【００１４】
本発明に係る磁気記録媒体読取装置は、磁気記録媒体が挿入される挿入口と、この挿入口へ挿入された磁気記録媒体からデータを読み取る磁気ヘッドと、挿入口付近に取り付けられる不正読取装置によって磁気記録媒体のデータが読み取られるのを妨害するための妨害磁界を発生する磁界発生部とを備えている。磁界発生部は、第１の磁界発生部と、第２の磁界発生部とからなる。第１および第２の磁界発生部は、第１の磁界発生部から発生する妨害磁界が第２の磁界発生部を通り、第２の磁界発生部から発生する妨害磁界が第１の磁界発生部を通るように、対向して配置されている。そして、第１の磁界発生部と第２の磁界発生部との間の領域で、それぞれの磁界発生部から発生する妨害磁界の方向が同じとなっている。【００１５】
このように構成したことにより、第１の磁界発生部と第２の磁界発生部でそれぞれ発生した磁界は、両磁界発生部の間の領域において、方向が同じとなり強め合う。また、それぞれの磁界発生部で発生した磁界は、対向する相手側の磁界発生部を通り、発散することがない。このため、両磁界発生部の間の領域に、強力な妨害磁界が集中して発生する。したがって、そのような強力な妨害磁界を不正読取装置に作用させることで、スキミングを確実に防止することができる。その一方で、強力な妨害磁界は両磁界発生部の間の領域に集中しているため、磁気ヘッドや周辺機器が妨害磁界の影響を受けるのを未然に防止することができる。【００１６】
本発明では、挿入口へ挿入される磁気記録媒体の幅方向を左右方向としたとき、第１の磁界発生部は、挿入口の左右の一方側に設けられ、第２の磁界発生部は、挿入口の左右の他方側に設けられていてもよい。この場合、第１の磁界発生部と第２の磁界発生部との間の領域における妨害磁界の方向は、磁気記録媒体の幅方向と実質的に平行となる。【００１７】
これによると、不正読取装置に対して、妨害磁界を磁気記録媒体の幅方向（左右方向）に作用させることで、スキミングを確実に防止することができる。【００１８】
本発明では、挿入口へ挿入される磁気記録媒体の厚み方向を上下方向としたとき、第１の磁界発生部は、挿入口の上下の一方側に設けられ、第２の磁界発生部は、挿入口の上下の他方側に設けられていてもよい。この場合、第１の磁界発生部と第２の磁界発生部との間の領域における妨害磁界の方向は、磁気記録媒体の厚み方向と実質的に平行となる。【００１９】
これによると、不正読取装置に対して、妨害磁界を磁気記録媒体の厚み方向（上下方向）に作用させることで、スキミングを確実に防止することができる。【００２０】
本発明では、挿入口へ挿入される磁気記録媒体の幅方向を左右方向とし、厚み方向を上下方向としたとき、第１の磁界発生部は、挿入口の左右の一方側で、かつ挿入口の上下の一方側に設けられ、第２の磁界発生部は、挿入口の左右の他方側で、かつ挿入口の上下の他方側に設けられていてもよい。この場合、第１の磁界発生部と第２の磁界発生部との間の領域における妨害磁界の方向は、磁気記録媒体の幅方向および厚み方向に対して斜めとなる。【００２１】
これによると、不正読取装置に対して、妨害磁界を斜め方向に作用させることで、スキミングを確実に防止することができる。【００２２】
本発明では、第１および第２の磁界発生部は、磁気記録媒体に設けられた磁気ストライプが通過する位置を挟んで、対向して配置されているのが好ましい。【００２３】
これによると、磁気ストライプの通過位置が、第１の磁界発生部と第２の磁界発生部との間の強力な妨害磁界が集中する領域に含まれるので、当該通過位置で不正読取装置が磁気ストライプのデータを不正取得するのを、効果的に防止することができる。【００２４】
本発明では、妨害磁界は、第１の磁界発生部と第２の磁界発生部との間の領域で、最も強い磁力を示すのが好ましい。【００２５】
これにより、不正読取装置に対して、最も強い妨害磁界を作用させて、スキミングをより確実に防止することができる。【００２６】
本発明では、第１および第２の磁界発生部は、磁性材料からなるコアと、このコアに巻回されたコイルとを含むものであってもよい。【００２７】
これによると、第１の磁界発生部で発生した妨害磁界は、第２の磁界発生部のコアを通り、第２の磁界発生部で発生した妨害磁界は、第１の磁界発生部のコアを通るので、それぞれの妨害磁界を発散させることなく、両磁界発生部の間の領域に妨害磁界を集中させることができる。また、コイルに流す電流に応じて、妨害磁界の強さを調整することができる。【００２８】
本発明では、第１の磁界発生部のコアの中心軸が、第２の磁界発生部のコアの中心軸と一致していることが好ましい。【００２９】
これにより、第１の磁界発生部と第２の磁界発生部との間の領域に、妨害磁界をより集中させ易くすることができる。【００３０】
本発明では、妨害磁界のうち、第１の磁界発生部と第２の磁界発生部との間の領域の外側に向かう磁界を導くための案内磁路を、第１および第２の磁界発生部にまたがって設けてもよい。【００３１】
これによると、両磁界発生部の間の領域の外側に向かう磁界（漏れ磁界）は、案内磁路に導かれて広がりが抑制されるので、漏れ磁界が磁気ヘッドや周辺機器に悪影響を与えるのを回避することができる。
【発明の効果】
【００３２】
本発明によれば、不正読取装置に強力な妨害磁界を作用させてスキミングを確実に防止することができ、かつ、そのような妨害磁界が磁気ヘッドや周辺機器に悪影響を与えることのない磁気記録媒体読取装置を提供することができる。
【図面の簡単な説明】
【００３３】
【図１】図１は、第１実施形態によるカードリーダの電気ブロック図である。
【図２Ａ】図２Ａは、第１実施形態によるカードリーダの平面図である。
【図２Ｂ】図２Ｂは、第１実施形態によるカードリーダの側面図である。
【図２Ｃ】図２Ｃは、第１実施形態によるカードリーダの正面図である。
【図３】図３は、第１実施形態における妨害磁界発生器の配置図である。
【図４】図４は、第１実施形態における妨害磁界の分布を示した正面図である。
【図５Ａ】図５Ａは、第１実施形態における妨害磁界の有効領域を示した平面図である。
【図５Ｂ】図５Ｂは、第１実施形態における妨害磁界の有効領域を示した側面図である。
【図５Ｃ】図５Ｃは、第１実施形態における妨害磁界の有効領域を示した正面図である。
【図６Ａ】図６Ａは、第２実施形態によるカードリーダの平面図である。
【図６Ｂ】図６Ｂは、第２実施形態によるカードリーダの側面図である。
【図６Ｃ】図６Ｃは、第２実施形態によるカードリーダの正面図である。
【図７Ａ】図７Ａは、第３実施形態によるカードリーダの平面図である。
【図７Ｂ】図７Ｂは、第３実施形態によるカードリーダの側面図である。
【図７Ｃ】図７Ｃは、第３実施形態によるカードリーダの正面図である。
【図８】図８は、第３実施形態における妨害磁界発生器の配置図である。
【図９】図９は、第３実施形態における妨害磁界の分布を示した正面図である。
【図１０Ａ】図１０Ａは、第３実施形態における妨害磁界の有効領域を示した平面図である。
【図１０Ｂ】図１０Ｂは、第３実施形態における妨害磁界の有効領域を示した側面図である。
【図１０Ｃ】図１０Ｃは、第３実施形態における妨害磁界の有効領域を示した正面図である。
【図１１】図１１は、第４実施形態における妨害磁界の有効領域を示した正面図である。
【図１２】図１２は、第５実施形態によるカードリーダの平面図である。
【図１３】図１３は、第６実施形態によるカードリーダの断面図である。
【図１４】図１４は、第６実施形態によるカードリーダの電気ブロック図である。
【図１５】図１５は、従来の手動式カードリーダの断面図である。
【図１６】図１６は、従来のモータ式カードリーダの断面図である。
【発明を実施するための形態】
【００３４】
本発明の実施形態について、図面を参照しながら説明する。各図において、同一符号は、同一部分または対応部分を表している。以下の各実施形態では、磁気記録媒体読取装置として、磁気カードに記録されているデータを読み取るカードリーダを例に挙げる。
【００３５】
（第１実施形態）
図１〜図３を参照して、第１実施形態によるカードリーダの構成について説明する。
【００３６】
図１に示すように、第１実施形態によるカードリーダ１００は、装置全体の動作を制御するＣＰＵからなる制御部１と、磁気カード５０（図２Ａ参照）に記録されている磁気データを読み取る磁気ヘッド２と、妨害磁界を発生する磁界発生部３と、磁気カード５０を検出するカード検出センサ４と、シャッタ（図示省略）を駆動するソレノイド５と、磁気ヘッド２が読み取ったデータやその他の情報を記憶するメモリ６と、上位装置（例えばＡＴＭ）との接続部であるホストインターフェース７とを備えている。なお、図１の構成は、後述する第２ないし第５実施形態にも共通のものである。
【００３７】
図２Ａ〜図２Ｃは、カードリーダ１００の構造を示している。このカードリーダ１００は、図１５に示したカードリーダ３００と同様の手動式カードリーダである。図中の矢印Ｆは前方向、矢印Ｂは後ろ方向、矢印Ｌは左方向、矢印Ｒは右方向、矢印Ｕは上方向、矢印Ｄは下方向をそれぞれ表している（他の図においても同様）。図２Ａのように、左右（ＬＲ）方向は、磁気カード５０の幅方向であり、図２Ｂのように、上下（ＵＤ）方向は、磁気カード５０の厚み方向である。
【００３８】
カードリーダ１００の基体１０は樹脂で形成されており、その内部には、図２Ｂに破線で示すように、磁気ヘッド２が設けられている。基体１０の内部には、磁気ヘッド２のほか、図１の制御部１、カード検出センサ４、ソレノイド５、メモリ６、およびホストインターフェース７が設けられているが、図２Ａ〜図２Ｃでは、これらの図示を省略している。
【００３９】
基体１０の前部には、樹脂で形成されたパネル部１１が設けられている。パネル部１１には、図２Ｃに示すように、磁気カード５０が挿入される挿入口１２と、この挿入口１２と連通する凹部１３が形成されている。磁気カード５０は、利用者によって矢印ａ方向から挿入口１２へ挿入される。磁気ヘッド２は、挿入された磁気カード５０の磁気ストライプ５１に記録されているデータを読み取る。磁気ストライプ５１は、磁気カード５０の裏面に設けられている。磁気カード５０は、本発明における「磁気記録媒体」の一例である。
【００４０】
パネル部１１の前面側には、収納部１１ａおよび収納部１１ｂが設けられている。これらの収納部１１ａ、１１ｂは、パネル部１１と一体に形成されていてもよいし、パネル部１１とは別体で、固定部材や接着剤等によりパネル部１１に固定されるものであってもよい。収納部１１ａ、１１ｂの内部は空洞となっており、収納部１１ａに妨害磁界発生器３１が収納され、収納部１１ｂに妨害磁界発生器３２が収納されている。妨害磁界発生器３１、３２は、図示しないリード線を介して、基体１０内の回路基板に実装されている制御部１（図１）と電気的に接続されている。
【００４１】
図２Ｃに示すように、妨害磁界発生器３１は、挿入口１２の右側に設けられており、妨害磁界発生器３２は、挿入口１２の左側に設けられている。これらの妨害磁界発生器３１、３２は、図１の磁界発生部３を構成している。妨害磁界発生器３１は、本発明における「第１の磁界発生部」に相当し、妨害磁界発生器３２は、本発明における「第２の磁界発生部」に相当する。
【００４２】
図３に示すように、妨害磁界発生器３１は、磁性材料からなる円柱状のコア３１ａと、このコア３１ａに巻回されたコイル３１ｂとから構成される。同様に、妨害磁界発生器３２は、磁性材料からなる円柱状のコア３２ａと、このコア３２ａに巻回されたコイル３２ｂとから構成される。ここでは、妨害磁界発生器３１のコア３１ａの中心軸と、妨害磁界発生器３２のコア３２ａの中心軸とが、一点鎖線Ｌで示すように一致しているが、両者の中心軸は多少ずれていてもよい。
【００４３】
妨害磁界発生器３１と妨害磁界発生器３２とは、対向して配置されている。このため、コイル３１ｂへの通電により妨害磁界発生器３１から発生する妨害磁界は、妨害磁界発生器３２のコア３２ａを通る。また、コイル３２ｂへの通電により妨害磁界発生器３２から発生する妨害磁界は、妨害磁界発生器３１のコア３１ａを通る。そして、妨害磁界発生器３１と妨害磁界発生器３２との間の領域で、妨害磁界発生器３１、３２から発生する妨害磁界の方向が同じとなるように、コイル３１ｂ、３２ｂの通電が制御部１（図１）により制御される。また、制御部１は、コイル３１ｂ、３２ｂに流す電流に応じて、妨害磁界の強さを調整する。
【００４４】
図４は、妨害磁界発生器３１、３２から発生する妨害磁界Ｙの分布状態を示している。妨害磁界発生器３１と妨害磁界発生器３２との間の領域において、妨害磁界Ｙは、左右（ＬＲ）方向すなわち磁気カード５０の幅方向と実質的に平行となっている。この領域では、妨害磁界発生器３１、３２から発生したそれぞれの妨害磁界が、方向が同じであるため強め合うとともに、対向する相手側の妨害磁界発生器のコア３１ａ、３２ａを通るので発散することがない。特に、コア３１ａ、３２ａの中心軸が一致しているので、妨害磁界をより集中させ易くなっている。このため、妨害磁界発生器３１、３２の間の領域には、強力な妨害磁界が集中して発生する。一方、この領域の外側の領域では、妨害磁界の強度は弱くなる。
【００４５】
したがって、妨害磁界発生器３１、３２の間の領域で、妨害磁界は最も強い磁力を示すので、この領域の妨害磁界を不正読取装置に作用させることで、スキミングを確実に防止することができる。以下では、妨害磁界発生器３１、３２の間の、強力な妨害磁界が集中する領域を「有効領域」と呼ぶ。図５Ａ〜図５Ｃにおいて、符号Ｚで示される領域が有効領域である。
【００４６】
上述した第１実施形態によれば、挿入口１２の左右両側に妨害磁界発生器３１、３２が配置され、これらの間の有効領域Ｚに強力な妨害磁界が集中するようになっている。このため、図５Ａ〜図５Ｃに示すように、挿入口１２付近の磁気ヘッド２に対応する位置に不正読取装置ＳＫが設置されても、不正読取装置ＳＫに対して、有効領域Ｚの強力な妨害磁界が左右方向に作用するので、不正読取装置ＳＫは、磁気カード５０の磁気ストライプ５１に記録されているデータを正常に読み取ることができない。その一方で、強力な妨害磁界は、妨害磁界発生器３１、３２の間の有効領域Ｚに集中しているため、磁気ヘッド２や周辺機器（図示省略）が妨害磁界の影響を受けるのを未然に防止することができる。
【００４７】
また、第１実施形態では、図２Ａ〜図２Ｃに示すように、妨害磁界発生器３１、３２が、磁気カード５０の磁気ストライプ５１が通過する位置（図２Ｃで挿入口１２の右端付近）を挟んで、対向して配置されている。このため、磁気ストライプ５１の通過位置が、図５Ａ〜図５Ｃに示した有効領域Ｚに含まれるので、当該通過位置で不正読取装置ＳＫが磁気ストライプ５１のデータを不正取得するのを、効果的に防止することができる。
【００４８】
（第２実施形態）
図６Ａ〜図６Ｃは、第２実施形態によるカードリーダ１００を示している。第１実施形態（図２Ａ〜図２Ｃ）では、パネル部１１の前面側に収納部１１ａ、１１ｂを設け、これらの収納部に妨害磁界発生器３１、３２をそれぞれ収納した。一方、第２実施形態では、収納部１１ａ、１１ｂを省略し、パネル部１１内に妨害磁界発生器３１、３２を収納している。
【００４９】
その他の点については、第１実施形態と同じであるので、詳細な説明は省略する。第２実施形態のカードリーダ１００においても、第１実施形態の場合と同様の効果を得ることができる。なお、第２実施形態の構造は、後述の第３実施形態ないし第５実施形態においても採用することができる。
【００５０】
（第３実施形態）
図７Ａ〜図７Ｃは、第３実施形態によるカードリーダ１００を示している。第１実施形態（図２Ａ〜図２Ｃ）では、挿入口１２の左右に妨害磁界発生器３１、３２を配置したが、第３実施形態では、挿入口１２の上下に妨害磁界発生器３１、３２を配置している。妨害磁界発生器３１、３２は、図８に示すように、コア３１ａ、３２ａおよびコイル３１ｂ、３２ｂからなり、この構成は図３と同じである。
【００５１】
図９は、妨害磁界発生器３１、３２から発生する妨害磁界Ｙの分布状態を示している。妨害磁界発生器３１と妨害磁界発生器３２との間の領域（有効領域）において、妨害磁界Ｙは、上下（ＵＤ）方向すなわち磁気カード５０の厚み方向と実質的に平行となっている。第１実施形態と同様に、有効領域においては、妨害磁界発生器３１、３２から発生したそれぞれの妨害磁界が、方向が同じであるため強め合うとともに、対向する相手側の妨害磁界発生器のコア３１ａ、３２ａを通るので発散することがない。このため、有効領域には強力な妨害磁界が集中して発生する。一方、有効領域の外側の領域では、妨害磁界の強度は弱くなる。
【００５２】
したがって、第３実施形態の場合も、有効領域において妨害磁界は最も強い磁力を示すので、この領域の妨害磁界を不正読取装置に作用させることで、スキミングを確実に防止することができる。
【００５３】
上述した第３実施形態によれば、挿入口１２の上下両側に妨害磁界発生器３１、３２が配置され、これらの間の有効領域に強力な妨害磁界が集中するようになっている。このため、図１０Ａ〜図１０Ｃに示すように、挿入口１２付近の磁気ヘッド２に対応する位置に不正読取装置ＳＫが設置されても、不正読取装置ＳＫに対して、有効領域Ｚの強力な妨害磁界が上下方向に作用するので、不正読取装置ＳＫは、磁気カード５０の磁気ストライプ５１に記録されているデータを正常に読み取ることができない。その一方で、強力な妨害磁界は、妨害磁界発生器３１、３２の間の有効領域Ｚに集中しているため、磁気ヘッド２や周辺機器（図示省略）が妨害磁界の影響を受けるのを未然に防止することができる。
【００５４】
また、第３実施形態においても、図７Ａ〜図７Ｃに示すように、妨害磁界発生器３１、３２が、磁気カード５０の磁気ストライプ５１が通過する位置（図７Ｃで挿入口１２の右端付近）を挟んで、対向して配置されている。このため、磁気ストライプ５１の通過位置が、図１０Ａ〜図１０Ｃに示した有効領域Ｚに含まれるので、当該通過位置で不正読取装置ＳＫが磁気ストライプ５１のデータを不正取得するのを、効果的に防止することができる。
【００５５】
（第４実施形態）
図１１は、第４実施形態によるカードリーダ１００の正面図を示している（平面図と側面図は省略）。第４実施形態では、挿入口１２の左側でかつ上側（左上）に妨害磁界発生器３１を配置し、挿入口１２の右側でかつ下側（右下）に妨害磁界発生器３２を配置している。妨害磁界発生器３１、３２の構成は、図３や図８と同じである。その他の点については、第１実施形態等と同様であるので、詳細な説明は省略する。
【００５６】
第４実施形態のカードリーダ１００においても、妨害磁界発生器３１、３２の間の有効領域Ｚに強力な妨害磁界が集中するので、この領域の妨害磁界を、不正読取装置ＳＫに対して斜め方向に作用させることで、スキミングを確実に防止することができる。
【００５７】
また、妨害磁界発生器３１、３２が、磁気カード５０の磁気ストライプ５１が通過する位置（図１１で挿入口１２の右端付近）を挟んで、対向して配置されており、磁気ストライプ５１の通過位置が有効領域Ｚに含まれるので、不正読取装置ＳＫによるデータの不正取得を効果的に防止することができる。
【００５８】
なお、パネル部１１の大きさや挿入口１２の位置等によっては、図１１とは逆に、挿入口１２の左側でかつ下側（左下）に妨害磁界発生器３１を配置し、挿入口１２の右側でかつ上側（右上）に妨害磁界発生器３２を配置してもよい。
【００５９】
（第５実施形態）
図１２は、第５実施形態によるカードリーダ１００の正面図を示している（平面図と側面図は省略）。第５実施形態では、妨害磁界発生器３１と妨害磁界発生器３２とにまたがって、磁性体からなるＵ字形の案内磁路１５が設けられている。この案内磁路１５は、妨害磁界発生器３１、３２間の有効領域の外側に向かう磁界（漏れ磁界）を導くためのものである。その他の点については、第１実施形態と同じであるので、詳細な説明は省略する。
【００６０】
第５実施形態によると、漏れ磁界は、案内磁路１５に導かれて広がりが抑制されるので、漏れ磁界が磁気ヘッド２や周辺機器に悪影響を与えるのを回避することができる。なお、前述の第２実施形態ないし第４実施形態、および後述の第６実施形態において、上述した案内磁路１５を設けることも可能である。
【００６１】
（第６実施形態）
図１３は、第６実施形態によるカードリーダ２００を示している。第１実施形態ないし第５実施形態においては、手動式のカードリーダ１００を例に挙げた。これに対して、第６実施形態によるカードリーダ２００は、図１６に示したカードリーダ４００と同様のモータ式のカードリーダである。
【００６２】
カードリーダ２００の基体２０の内部には、第１磁気ヘッド２１と、搬送ローラ８ａと、カード検出センサ４とが設けられている。搬送ローラ８ａは、図示しないモータにより回転し、磁気カード５０を搬送する。第１磁気ヘッド２１は、搬送される磁気カード５０に記録されているデータを読み取る。カード検出センサ４は、搬送される磁気カード５０の位置を検出する。
【００６３】
基体２０の前部には、挿入ユニット２０ａが設けられている。挿入ユニット２０ａには、磁気カード５０が挿入される挿入口２０ｂが形成されている。挿入ユニット２０ａの内部には、第２磁気ヘッド２２が設けられている。第２磁気ヘッド２２は、挿入口２０ｂへ挿入された磁気カード５０の磁気ストライプを検出する。挿入ユニット２０ａの前面には、妨害磁界発生器３１と妨害磁界発生器３２とが、挿入口２０ｂを挟んで上下に設けられている。
【００６４】
図１４は、カードリーダ２００の電気ブロックを示している。ここでは、図１の磁気ヘッド２が、第１磁気ヘッド２１と第２磁気ヘッド２２に置き換わっており、また、カード搬送部８が追加されている。カード搬送部８は、搬送ローラ８ａを回転させるモータ等から構成される。
【００６５】
第６実施形態のカードリーダ２００においても、妨害磁界発生器３１、３２の間に強力な妨害磁界が集中するので、この妨害磁界を不正読取装置（図示省略）に作用させることで、スキミングを確実に防止することができる。また、強力な妨害磁界は、妨害磁界発生器３１、３２の間に集中しているため、第２磁気ヘッド２２や周辺機器（図示省略）が妨害磁界の影響を受けるのを未然に防止することができる。
【００６６】
なお、妨害磁界発生器３１、３２は、第１実施形態のように、挿入口２０ｂの左右に配置してもよいし、第４実施形態のように、斜めに対向させて配置してもよい。また、妨害磁界発生器３１、３２を、挿入ユニット２０ａ内に収納してもよい。
【００６７】
（その他の実施形態）
本発明では、上述した実施形態以外にも、以下のような種々の実施形態を採用することができる。
【００６８】
上述した各実施形態においては、２個の妨害磁界発生器３１、３２を設けた例を示したが、第１実施形態（図２Ａ〜図２Ｃ）、第３実施形態（図７Ａ〜図７Ｃ）、および第４実施形態（図１１）を適宜組み合わせてもよい。例えば、第１実施形態と第３実施形態とを組み合わせた場合は、挿入口１２の左右と上下に合計４個の妨害磁界発生器が設けられる。
【００６９】
上述した各実施形態においては、妨害磁界発生器３１、３２を、コア３１ａ、３２ａおよびコイル３１ｂ、３２ｂから構成したが、妨害磁界発生器３１、３２は、コイル３１ｂ、３２ｂのみで構成してもよい。また、妨害磁界発生器３１、３２をループアンテナにより構成してもよい。
【００７０】
上述した各実施形態においては、磁気カード５０が挿入される場合のスキミング対策について述べたが、磁界発生部３から妨害磁界が常時発生しておれば、磁気カード５０が返却される場合にも、スキミングを防止することができる。なお、妨害磁界を常時発生させることは、本発明にとって必須ではなく、妨害磁界に休止期間を設けてもよい。
【００７１】
上述した各実施形態においては、磁気記録媒体として、裏面に磁気ストライプ５１を有する磁気カード５０を例に挙げた。しかしながら、本発明は、磁気ストライプが表面もしくは表裏両面にある磁気カードを扱う磁気記録媒体読取装置にも適用することができる。
【００７２】
上述した各実施形態においては、磁気記録媒体として磁気カード５０を例に挙げた。しかしながら、本発明は、磁気カードに限らず、磁気ストライプを有する通帳のような磁気記録媒体を読み取る装置にも適用することができる。
【産業上の利用可能性】
【００７３】
本発明は、ＡＴＭのような自動取引処理装置に搭載されるカードリーダや通帳リーダ、あるいはカード認証端末に搭載されるカードリーダなど、磁気記録媒体を読み取る装置全般に適用することができる。
【符号の説明】
【００７４】
２      磁気ヘッド
３      磁界発生部
１２    挿入口
１５    案内磁路
３１    妨害磁界発生器（第１の磁界発生部）
３１ａ  コア
３１ｂ  コイル
３２    妨害磁界発生器（第２の磁界発生部）
３２ａ  コア
３２ｂ  コイル
５０    磁気カード
５１    磁気ストライプ
１００、２００  カードリーダ（磁気記録媒体読取装置）
Ｙ      妨害磁界
Ｚ      有効領域
【図１】
0006039070.tif 000002
【図２Ａ】
0006039070.tif 000003
【図２Ｂ】
0006039070.tif 000004
【図２Ｃ】
0006039070.tif 000005
【図３】
0006039070.tif 000006
【図４】
0006039070.tif 000007
【図５Ａ】
0006039070.tif 000008
【図５Ｂ】
0006039070.tif 000009
【図５Ｃ】
0006039070.tif 000010
【図６Ａ】
0006039070.tif 000011
【図６Ｂ】
0006039070.tif 000012
【図６Ｃ】
0006039070.tif 000013
【図７Ａ】
0006039070.tif 000014
【図７Ｂ】
0006039070.tif 000015
【図７Ｃ】
0006039070.tif 000016
【図８】
0006039070.tif 000017
【図９】
0006039070.tif 000018
【図１０Ａ】
0006039070.tif 000019
【図１０Ｂ】
0006039070.tif 000020
【図１０Ｃ】
0006039070.tif 000021
【図１１】
0006039070.tif 000022
【図１２】
0006039070.tif 000023
【図１３】
0006039070.tif 000024
【図１４】
0006039070.tif 000025
【図１５】
0006039070.tif 000026
【図１６】
0006039070.tif 000027